(57)【特許請求の範囲】
【請求項１】
トイレ室に設けられ、上面に物品を載置可能な１枚の板材からなる棚と、電気制御可能な便器装置を作動可能なリモコンとを有する棚付きリモコンであって、
前記棚の下面には、前記リモコンを水平方向で前方に着脱可能にすべく、リモコンホルダが設けられ、
前記リモコンは、上面及び下面が側面及び前後面より広い面積を有する薄板状をなし、該リモコンホルダに取り付けられた際に前側に位置する前面に操作面が設けられ、
該操作面は、該棚の前記上面を除いた下方に位置していることを特徴とする棚付きリモコン。
【請求項２】
前記リモコンの上面には前記便器装置を操作可能な操作ボタンスイッチが配置されている請求項１記載の棚付きリモコン。
【請求項３】
前記リモコンの前記操作面は、前記リモコンホルダに取り付けられた際に、前記棚の前面より前方に突出し、使用者に対面すべく鉛直に対して傾斜している請求項１又は２記載の棚付きリモコン。
【発明の詳細な説明】
【０００１】
【発明が属する技術分野】
本発明は、棚付きリモコンに関する。
【０００２】
【従来の技術】
トイレ室では、図１１に示すように、シャワートイレ等の電気制御可能な便器装置５２が設けられているとともに、この便器装置５２の周辺の壁面５１にその便器装置５２を作動可能なリモコン５６、棚５３、ペーパーホルダ５４、タオル掛け５５等が設けられ得る。ここで、リモコン５６は、壁面５１に固定される図示しないリモコンホルダにより着脱可能になされることが一般的である。この場合、便器装置５２を使用する者が腕や手を棚５３の上面５３ａに乗せる場合もあり得ることから、そのような棚５３は比較的低い位置に設けられることが一般的である。一方、その使用者にとっての視認性及び操作性向上の観点から、その棚５３の上面５３ａより上方に操作面５６ａを位置させるべくリモコン５６を設けることが一般的である。
【０００３】
こうして、このトイレ室では、その使用者によりリモコン５６の操作面５６ａが触手可能になるとともに、棚５３の上面５３ａに載置され得る予備のトイレットペーパ等の物品もその者により触手可能となる。
【０００４】
【発明が解決しようとする課題】
しかし、上記のように棚５３の上面５３ａより上方にリモコン５６の操作面５６ａを位置させていると、その棚５３の上面５３ａにはリモコン５６の優れた操作性確保のためにある程度のスペースが不可欠となり、そのスペースに物品を載置できないことから、トイレ室内を煩雑にすることともなる。
仮に、棚５３の上面５３ａにむやみに物品を載置した場合、その物品が使用者にとってリモコン５６の視認性及び操作性の上で邪魔になり、そのリモコン５６の操作性が低下してしまう。このため、リモコン５６を壁面５１より取外し、棚５３の上面５３ａにこれを置いて使用することも考えられる。ところが、こうすると、操作面５６ａが上方を向いてしまってリモコン５６の操作性が低下するとともに、リモコン５６を載置した部分ではやはり棚５３の上面５３ａに他の物品を置くことができなくなり、同様にトイレ室内を煩雑化することとなる。
【０００５】
本発明は、上記従来の実情に鑑みてなされたものであって、煩雑化を有効に防止できるトイレ室を提供することを解決すべき課題としている。
【０００６】
【課題を解決するための手段】
本発明の棚付きリモコンは、トイレ室に設けられ、上面に物品を載置可能な１枚の板材からなる棚と、電気制御可能な便器装置を作動可能なリモコンとを有する棚付きリモコンであって、
前記棚の下面には、前記リモコンを水平方向で前方に着脱可能にすべく、リモコンホルダが設けられ、
前記リモコンは、上面及び下面が側面及び前後面より広い面積を有する薄板状をなし、該リモコンホルダに取り付けられた際に前側に位置する前面に操作面が設けられ、
該操作面は、該棚の前記上面を除いた下方に位置していることを特徴とする。
【０００７】
本発明の棚付きリモコンでは、リモコンの操作面が棚の上面を除いた下方に位置しているため、その棚の上面にリモコンの優れた操作性確保のためのスペースが不要となり、上面に自由に物品を載置できる。このため、トイレ室の煩雑化を有効に防止することができる。
【０００８】
また、こうであれば、棚の上面に載置する物品が使用者の視認及び操作の上で邪魔にならず、リモコンの操作面の位置を工夫することでリモコンの視認性及び操作性を確保できる。
【０００９】
リモコンの操作面は棚の前面に位置していることが望ましい。こうであれば、使用者の視認性及び操作性を確実に確保することができる。
【００１０】
また、リモコンを棚と一体化させることもできる。これにより、リモコンと棚とを別々に設ける必要がなくなるため、施工性が向上することとなる。
【００１１】
さらに、リモコンは棚から着脱可能である。これにより、使用者はリモコンを棚から取り外して自由な姿勢で操作できる。また、棚から外したリモコンを再び棚に取り付けることにより、リモコンの紛失も回避できる。
こうしてリモコンを棚から着脱可能にする場合、棚にリモコンホルダを取付け、このリモコンホルダにリモコンを着脱可能にする。また、棚をリモコンホルダとして機能させ、リモコンを棚から着脱可能にすることもできる。後者であれば、リモコンホルダの省略により製造コストの低廉化を実現できる。
【００１２】
リモコンの操作面は便器装置を使用する者に対面して設けられていることが望ましい。こうであれば、使用者がリモコンの操作面を最も見易く、操作しやすい。
【００１３】
また、棚の上面を除いた下方には、トイレットペーパホルダ、タオル掛け等の他のトイレ用備品を設けることができる。これにより、リモコン、棚及びその他のトイレ用備品を別々に設ける必要がなくなるため、施工性が向上することとなる。
【００１４】
【発明の実施の形態】
以下、本発明を具体化した実施形態１を図面を参照しつつ説明する。
（参考形態１）
参考形態１の棚付きリモコンが設けられたトイレ室では、図１に示すように、シャワートイレ一体型の便器装置２が設けられているとともに、この便器装置２の周辺の壁面１には棚３が設けられている。棚３は、便器装置２を使用する者が腕や手をその上面３ｂに乗せる場合もあり得ることから、比較的低い位置に設けられており、水平な上面３ｂに物品を載置可能である。
【００１５】
また、図２にも示すように、棚３の前面３ａは使用者に対面すべく鉛直に対して下り勾配をなして傾斜している。この前面３ａから内部に向かって便器装置２を作動可能なリモコン４が埋め込まれており、これによりリモコン４は棚３と一体化されている。こうして、リモコン４の操作面４ａ及び棚３の上面３ｂに載置され得る物品が使用者により触手可能とされている。
【００１６】
また、図３にも示すように、リモコン４の操作面４ａは、棚３の上面３ｂを除いた下方に位置しつつ、棚３の前面３ａと面一になっている。このため、リモコン４の操作面４ａは棚３の前面３ａに位置している。なお、図２に示すように、リモコン４の操作面４ａには主操作ボタンスイッチ４ｂ及び副操作ボタンスイッチ４ｃが水平方向で一列をなして配置されている。ここで、主操作ボタンスイッチ４ｂは洗浄スイッチ等の使用頻度の高いスイッチであり、副操作ボタンスイッチ４ｃは温度設定スイッチ等の使用頻度の低いスイッチである。
【００１７】
以上のように構成されたトイレ室では、リモコン４の操作面４ａが棚３の上面３ｂを除いた下方に位置しているため、その棚３の上面３ｂにリモコン４の優れた操作性確保のためのスペースが不要となり、上面３ｂに自由に物品を載置できることから、煩雑化を有効に防止することができる。
【００１８】
また、このトイレ室では、棚３の上面３ｂに載置する物品が使用者の視認及び操作の上で邪魔にならず、かつリモコン４の操作面４ａが棚３の前面３ａに位置しているため、リモコン４の視認性及び操作性を確実に確保できる。
【００１９】
さらに、このトイレ室では、リモコン４を棚３と一体化させているため、リモコン４と棚３とを別々に設ける必要がなく、優れた施工性を発揮できる。
【００２０】
また、このトイレ室では、リモコン４の操作面４ａが棚３の下り勾配で傾斜している前面３ａと面一であるため、使用者がリモコン４の操作面４ａを最も見易く、操作しやすい。
【００２１】
（参考形態２)
参考形態２の棚付きリモコンが設けられたトイレ室では、図４に示すように、棚５の前面５ａが上面５ｂ及び下面５ｃと垂直である。この前面５ａから内部に向かってリモコン６が埋め込まれており、リモコン６の下面６ｃと棚５の下面５ｃとは面一となっている。また、リモコン６の操作面６ａと棚５の前面５ａも面一になっている。そして、操作面６ａには洗浄スイッチ等の主操作ボタンスイッチ６ｂが配置されている。
【００２２】
また、図５に示すように、操作面６ａを押すことによりリモコン６が前方に突出すべく、棚５とリモコン６との間には図示しない公知のプッシュロックオープン機構が設けられている。そして、リモコン６が前方に突出することにより露出したリモコン６の上面６ｄには温度設定スイッチ等の副操作ボタンスイッチ６ｅが配置されている。他の構成は上記参考形態１と同様である。
【００２３】
以上のように構成されたトイレ室では、リモコン６の操作面６ａがプッシュロックオープン機構により前方に突出して使用者に近づくため、リモコン６の操作性をより確保することができる。また、主操作ボタンスイッチ６ｂを操作面６ａに配置し、副操作ボタンスイッチ６ｅを上面６ｄに配置していることから、これによってもリモコン６の操作性をより確保することができる。すなわち、リモコン６が棚５内に収納されている場合、使用頻度の低い副操作スイッチ６ｅは棚５の中に収納され、使用頻度の高い主操作ボタンスイッチ６ｂのみ操作可能となるため、誤操作を防止できるからである。その他の作用及び効果は上記参考形態１と同様である。
【００２４】
なお、リモコン６の操作面６ａと棚５の前面５ａとを使用者に対面すべく鉛直に対して傾斜させることもできる。
【００２５】
（参考形態３)
参考形態３の棚付きリモコンが設けられたトイレ室においても、図６に示すように、棚７の前面７ａが上面７ｂ及び下面７ｃと垂直である。この前面７ａから内部に向かってリモコン８が埋め込まれており、リモコン８の下面８ｃと棚７の下面７ｃとは面一となっている。また、リモコン８の操作面８ａは使用者に対面すべく鉛直に対して傾斜している。そして、操作面８ａには洗浄スイッチ等の主操作ボタンスイッチ８ｂ及び温度設定スイッチ等の副操作ボタンスイッチ８ｅが水平方向に二列をなして配置されている。他の構成は上記参考形態１と同様である。
【００２６】
以上のように構成されたトイレ室によっても参考形態１と同様の作用及び効果が得られる。
【００２７】
（参考形態４)
参考形態４の棚付きリモコンが設けられたトイレ室では、図７に示すように、棚９の前面９ａは上面９ｂ及び下面９ｃと垂直である。この前面９ａには、リモコン１０を棚９から水平方向で着脱可能にすべく、ホルダ面９ｄが凹設されている。
【００２８】
また、リモコン１０の操作面１０ａは使用者に対面すべく鉛直に対して傾斜している。そして、リモコン１０の操作面１０ａには洗浄スイッチ等の主操作ボタンスイッチ１０ｂが配置され、リモコン１０の上面１０ｄには温度設定スイッチ等の副操作ボタンスイッチ１０ｅが配置されている。他の構成は上記参考形態１と同様である。
【００２９】
以上のように構成されたトイレ室では、リモコン１０を棚９から着脱できるため、使用者はリモコン１０を棚９から取り外して自由な姿勢で操作できる。また、棚９から外したリモコン１０を再び棚９に取り付けることにより、リモコン１０の紛失も回避できる。ここで、このトイレ室では、棚９をリモコンホルダとして機能させているため、リモコンホルダの省略により製造コストの低廉化を実現できる。他の作用及び効果は上記参考形態１と同様である。
【００３０】
（参考形態５)
参考形態５の棚付きリモコンが設けられたトイレ室では、図８に示すように、市販の１枚の板材からなる棚１１を採用しており、棚１１の下方にリモコン１２がＬ字形状をなす一対のリモコンホルダ１３、１３により着脱可能になされている。
【００３１】
また、リモコン１２の操作面１２ａは使用者に対面すべく鉛直に対して傾斜している。そして、操作面１２ａには洗浄スイッチ等の主操作ボタンスイッチ１２ｂ及び温度設定スイッチ等の副操作ボタンスイッチ１２ｅが水平方向で一列をなして配置されている。他の構成は上記参考形態１と同様である。
【００３２】
以上のように構成されたトイレ室では、市販の棚１１をそのまま採用しているため、製造コストの低廉化を実現できる。他の作用及び効果は上記参考形態１と同様である。
（実施形態１)
実施形態１の棚付きリモコンが設けられたトイレ室では、図９に示すように、市販の１枚の板材からなる棚１４を採用しており、棚１４の下面１４ｃにリモコン１５を収納可能な箱型のリモコンホルダ１６がＬ字形状をなす一対のブラケット１７、１７により設けられている。そして、リモコンホルダ１６にはホルダ面１６ａが形成され、ホルダ１６ａ内にリモコン１５が着脱可能に収納されている。
【００３３】
また、リモコン１５の操作面１５ａは使用者に対面すべく鉛直に対して傾斜している。そして、操作面１５ａには洗浄スイッチ等の主操作ボタンスイッチ１５ｂ及び温度設定スイッチ等の副操作ボタンスイッチ１５ｅが水平方向に二列をなして配置されている。他の構成は上記参考形態１と同様である。
【００３４】
以上のように構成されたトイレ室においても、市販の棚１１をそのまま採用しているため、製造コストの低廉化を実現できる。また、リモコン１５をリモコンホルダ１６から着脱可能であるため、リモコン１５の操作性向上と紛失防止とを実現できる。他の作用及び効果は上記参考形態１と同様である。
【００３５】
（参考形態６)
参考形態６の棚付きリモコンが設けられたトイレ室では、図１０に示すように、棚１８の前面１８ａは上面１８ｂ及び下面１８ｃと垂直である。この前面１８ａから内部に向かってリモコン１９が埋め込まれており、リモコン１９の操作面１９ａは使用者に対面すべく鉛直に対して傾斜している。そして、操作面１９ａには洗浄スイッチ等の主操作ボタンスイッチ１９ｂ及び温度設定スイッチ等の副操作ボタンスイッチ１９ｅが水平方向に一列をなして配置されている。また、棚１８の下面１８ｃには市販のトイレットペーパホルダ２０が設けられている。他の構成は上記参考形態１と同様である。
【００３６】
以上のように構成されたトイレ室では、リモコン１９、棚１８及びトイレットペーパホルダ２０を別々に設ける必要がなくなるため、施工性が向上することとなる。他の作用及び効果は上記参考形態１と同様である。
【００３７】
なお、上記実施形態１及び参考形態１〜６においては、リモコン４、６、８、１０、１２、１５、１９に便器装置２を制御するための発光部を設けることもできる他、棚３、５、７、９、１１、１４、１８、リモコンホルダ１３、１６又はブラケット１７の前面、側面又は下面に発光部を設けることもできる。
【図面の簡単な説明】
【図１】参考形態１の棚付きリモコンが設けられたトイレ室の斜視図である。
【図２】参考形態１の棚付きリモコンの斜視図である。
【図３】参考形態１の棚付きリモコンの縦断面図である。
【図４】参考形態２の棚付きリモコンの斜視図である。
【図５】参考形態２の棚付きリモコンの要部斜視図である。
【図６】参考形態３の棚付きリモコンの斜視図である。
【図７】参考形態４の棚付きリモコンの斜視図である。
【図８】参考形態５の棚付きリモコンの斜視図である。
【図９】実施形態１の棚付きリモコンの斜視図である。
【図１０】参考形態６の棚付きリモコンの斜視図である。
【図１１】従来のトイレ室の側面図である。
【図１】
0004420511.tif 000002
【図２】
0004420511.tif 000003
【図３】
0004420511.tif 000004
【図４】
0004420511.tif 000005
【図５】
0004420511.tif 000006
【図６】
0004420511.tif 000007
【図７】
0004420511.tif 000008
【図８】
0004420511.tif 000009
【図９】
0004420511.tif 000010
【図１０】
0004420511.tif 000011
【図１１】
0004420511.tif 000012